(57)【特許請求の範囲】
【請求項１】
島長手方向に列設される複数の遊技機とその関連設備とから構成される遊技機島において、
各遊技機から排出される遊技媒体を受入れる貯留タンクの側壁に上下方向に延びる被係合部を設ける一方、各遊技機を載置する天板下側に支持体を垂下するよう固設し、該支持体に前記被係合部に嵌合する係合部を設け、
前記貯留タンクの被係合部に前記支持体の係合部を嵌合させて、島全体の土台をなす島下段を構成したことを特徴とする遊技機島。
【請求項２】
前記支持体をその下端が前記貯留タンクを設置するフロア面に当接する長さに形成したことを特徴とする請求項１記載の遊技機島。
【請求項３】
前記フロア面上に島下段の底部に合致する弾性シートを敷設したことを特徴とする請求項２記載の遊技機島。
【請求項４】
前記支持体に貯留タンクの側壁を覆う腰板を一体的に取付けたことを特徴とする請求項１，２または３記載の遊技機島。
【請求項５】
前記腰板に内部を覗ける点検用窓を開設したことを特徴とする請求項４記載の遊技機島。
【発明の詳細な説明】
【０００１】
【発明の属する技術分野】
本発明は、島長手方向に列設される複数の遊技機とその関連設備とから構成される遊技機島に関する。ここで遊技機とは主としてパチンコ機を指すものであり、遊技媒体はパチンコ球である。
【０００２】
【従来の技術】
従来、この種の遊技機島における島下段は、先ず島全体を支える強度を備えた島柱等の支持フレームをフロア上に立設し、この支持フレームに外壁を成す腰板を装着し、また腰板の上端縁側に複数のパチンコ機を設置するための天板を別途固着して構築されていた。
【０００３】
また、島下段内には島内に多量のパチンコ球を貯留するための下部貯留タンクが配設されている。かかる下部貯留タンクは、前記支持フレームや腰板とは全く別個独立に、支柱等の支持部材を介してフロア上に据え付けられていた。
【０００４】
【発明が解決しようとする課題】
しかしながら、前述したような従来技術では、遊技機島の施工現場にて先ず最初に構築する島下段からして、その内部に島全体の支持フレームとは別に下部貯留タンクやその関連資材、更に腰板や天板等の資材をそれぞれ別々に順次組み付けていかねばならない。従って、現場における遊技機島の組付け工数が嵩むと共に時間もかかって面倒であり、コストを低減する際の大きな支障になるという問題点があった。
【０００５】
本発明は、以上のような従来技術の有する問題点に着目してなされたもので、少ない資材で構築でき、しかも組立て自体が極めて簡易かつ容易であり、島の施工時間を大幅に短縮することが可能で、それによりコストを低減することができる遊技機島を提供することを目的としている。
【０００６】
【課題を解決するための手段】
前述した目的を達成するための本発明の要旨とするところは、以下の各項に存する。
【０００７】
請求項１記載の発明では、
島長手方向に列設される複数の遊技機（１１）とその関連設備とから構成される遊技機島（１０）において、
各遊技機（１１）から排出される遊技媒体を受入れる貯留タンク（２０）の側壁（２１）に上下方向に延びる被係合部（２２）を設ける一方、各遊技機（１１）を載置する天板（３０）下側に支持体（３１）を垂下するよう固設し、該支持体（３１）に前記被係合部被係合部（２２）に嵌合する係合部（３２）を設け、前記貯留タンク（２０）の被係合部（２２）に前記支持体（３１）の係合部（３２）を嵌合させて、島全体の土台をなす島下段（１０Ａ）を構成したことを特徴とする遊技機島（１０）に存する。
【０００８】
請求項２記載の発明では、
前記支持体（３１）をその下端が前記貯留タンク（２０）を設置するフロア面に当接する長さに形成したことを特徴とする請求項１記載の遊技機島（１０）に存する。
【０００９】
請求項３記載の発明では、
前記フロア面上に島下段（１０Ａ）の底部（２５）に合致する弾性シート（２７）を敷設したことを特徴とする請求項２記載の遊技機島（１０）に存する。
【００１０】
請求項４記載の発明では、
前記支持体（３１）に貯留タンク（２０）の側壁（２１）を覆う腰板（３３）を一体的に取付けたことを特徴とする請求項１，２または３記載の遊技機島（１０）に存する。
【００１１】
請求項５記載の発明では、
前記腰板（３３）に内部を覗ける点検用窓（３４）を開設したことを特徴とする請求項４記載の遊技機島（１０）に存する。
【００１２】
次に前述した解決手段に基づく作用を説明する。
請求項１記載の遊技機島（１０）によれば、島を構築する際には先ずフロア上に貯留タンク（２０）を設置して、その側壁（２１）の被係合部（２２）に天板（３０）より一体的に垂下した支持体（３１）の係合部（３２）を上から嵌込むように嵌合させればよい。これで島全体の土台をなす島下段（１０Ａ）はほぼ構築される。かかる場合、貯留タンク（２０）や天板（３０）と一体の支持体（３１）が島下段（１０Ａ）のフレームとなる。
【００１３】
それにより、島下段（１０Ａ）を構成するための資材点数は従来技術に比して削減され、また組み付け工数も削減されて、島の施工現場における島下段（１０Ａ）の組立ては極めて簡易かつ容易となり、施工時間を大幅に短縮することができる。
【００１４】
また、請求項２記載の遊技機島（１０）によれば、前記支持体（３１）を、その下端が前記貯留タンク（２０）を設置するフロア面に当接する長さに形成したので、島下段（１０Ａ）をより安定した状態でフロア面上に自立させることができる。また、請求項３記載の遊技機島（１０）によれば、フロア面上に島下段（１０Ａ）の底部（２５）に合致する弾性シート（２７）を敷設したから、前記支持体（３１）の長さに多少の誤差があっても、弾性シート（２７）の弾性変形により適宜誤差を吸収することができる。
【００１５】
更に、請求項４記載の遊技機島（１０）によれば、前記支持体（３１）に貯留タンク（２０）の側壁（２１）を覆う腰板（３３）を一体的に取付けたので、簡易かつ容易な組立性を何ら損なうことなく、島下段（１０Ａ）の外観をよくすることができる。更にまた、請求項５記載の遊技機島（１０）によれば、前記腰板（３３）に内部を覗ける点検用窓（３４）を開設したから、容易に島下段（１０Ａ）内部の貯留タンク（２０）等を点検したり、メンテナンスを行うことが可能となる。
【００１６】
【発明の実施の形態】
以下、図面に基づき本発明の各種の実施形態を説明する。
図１〜図７は本発明の第１の実施の形態を示している。
本実施形態に係る遊技機島１０は、列設される複数の遊技機としてのパチンコ機１１，１１…や、各パチンコ機１１で使う遊技媒体であるパチンコ球を貸し出す球貸機１９、それに貨幣搬送装置７０等の関連設備から構成されている。かかる遊技機島１０は、本発明の根幹をなす島下段１０Ａの上に、各パチンコ機１１や球貸機１９が列をなす島中段１０Ｂ、島最上部をなす島上段１０Ｃを構築して成る。
【００１７】
図２に示すように、島下段１０Ａは、島全長に亘って延び島中央を境に互いに対称に配された一対の貯留タンク２０，２０と、天板３０と一体的な支持体３１，３１…を組合せて成る。ここで貯留タンク２０は支持体３１と共に、島全体を支える強度を備えたフレームを成している。貯留タンク２０の上方は大きく開口し、各パチンコ機１１から排出されたパチンコ球をそのまま受入れられるようになっている。
【００１８】
更に詳しく言えば、貯留タンク２０は、島長手方向に延びる側壁２１，２１と、島中央付近に配される前壁２３、島端付近に配される後壁２４、そして島端から島中央へ向って下方へ傾斜する底部２５とから強固な箱状枠形に形成されている。すなわち、貯留タンク２０内のパチンコ球は自重で島中央側へと流下し、図示省略した研磨揚送装置の下端に集まるように設定されている。なお、貯留タンク２０は前後の脚部２６Ａ，２６Ｂでフロア上に設置される。
【００１９】
貯留タンク２０の側壁２１には上下方向に延びる被係合部２２が設けられている。被係合部２２は、後述する支持体３１の係合部３２が嵌合する部位であって、あり溝形断面に形成されている。図６に示すように、被係合部２２は、貯留タンク２０の一の側壁２１と他の側壁２１とでそれぞれ互い違い位置する、すなわち長手方向と略直角な直線上に重ならないように配置されている。なお、被係合部２２はあり溝形断面のものに限定されるわけではなく、例えば、図５に示す被係合部２２Ａのように、単なる矩形断面の溝としてもよい。
【００２０】
図１〜図３に示すように、前記貯留タンク２０に組合される天板３０は島下段１０Ａの上面部をなす部材であり、下側には支持体３１，３１…が垂下するよう一体的に固設されている。このような天板３０と支持体３１とを一体化した構造体は、例えば遊技機１台分或は数台分に相当する長さのユニットとして予め分割するよう構成しても良い。
【００２１】
図２に示すように、各支持体３１はその下端が前記貯留タンク２０を設置するフロア面に当接する長さに形成されている。また、図７に示すように、各支持体３１は前記貯留タンク２０の被係合部２２に対応するよう配置されており、各支持体３１には前記被係合部２２に嵌合する係合部３２が設けられている。係合部３２は、図４に示すように、被係合部２２のあり溝形断面に合致したあり形断面の突条として形成されている。
【００２２】
係合部３２も、例えば、図５に示す係合部３２Ａのように単なる矩形断面の突条としてもよい。このように互いに嵌合し合う係合部、被係合部の形状は図示したものに限定されるわけではなく、逆の態様として係合部の方を凹形にし、被係合部の方を凸形に設けてもよい。以上のように、貯留タンク２０の側壁２１にある被係合部２２に、天板３０より一体的に垂下した支持体３１の係合部３２を上から嵌込むように嵌合することで、島下段１０Ａは構築されている。
【００２３】
天板３０の下側は貯留タンク２０の開口上端縁に密着しており、外からごみや塵が入ることがなく、天板３０はその上に遊技機列を設置したり、遊技客が球箱を載置できるよう略水平に固定されている。更に支持体３１には、貯留タンク２０の側壁２１を覆う腰板３３が一体的に取付けられている。図２に示すように、腰板３３には所定間隔おきに内部を覗ける点検用窓３４が開設されている。この点検用窓３４は扉３５で開閉することができる。なお、点検用窓３４は必ずしも開設する必要はない。また、支持体３１に腰板３３を取付けることなく、貯留タンク２０の外壁面をそのまま腰板代わりとしてもよい。
【００２４】
図１に示すように、島下段１０Ａの天板２２上には、各パチンコ機１１の下端が島長手方向に摺動可能に嵌合する下方レール部材１２が設けられており、後述する島上段１０Ｃの下面部４２には、各パチンコ機１１の上端が島長手方向に摺動可能に嵌合する上方レール部材１３が設けられている。島中段１０Ｂは、上方レール部材１３と下方レール部材１２との間に、各パチンコ機１１を摺動させて配置して成り、各パチンコ機１１は、島下段１０Ａ上に立設された中段支持体１５を間にして前後２列に配されている。
【００２５】
パチンコ機１１はハンドル操作によってパチンコ球を盤面上に打ち出し、打球の入賞を競い楽しむものであり、正面側には球を機内に導入する前皿や、球貯留用の予備皿等が設けられている。各パチンコ機１１間に介装された球貸機１９は、後述する鑑別呼出装置５０からの信号を受けた際に、相当数の球を計数しつつ払い出すものである。かかる球貸機１９はパチンコ機１１と略同一の奥行幅に設定されており、球貸機１９も各パチンコ機１１と同様に、上下のレール部材１２，１３間を摺動させて配置されている。
【００２６】
島中段１０Ｂの上側に構築される島上段１０Ｃは、その上面部４１や下面部４２、それに外壁をなす幕板４３や内部の仕切板４５等から構成された枠組内に、鑑別呼出装置５０、紙幣や硬貨を島長手方向に搬送する貨幣搬送装置７０、それに各パチンコ機１１にパチンコ球を供給する給配樋４６等を配設して成る。給配樋４６は仕切板４５間にて高さ位置を調整できる。給配樋４６の途中箇所には、図示省略したが各パチンコ機１１及び各球貸機１９に対応した球の供給部材が取付けられている。
【００２７】
鑑別呼出装置５０は、紙幣や硬貨の投入口５１に連通する貨幣鑑別機に、呼出ボタン及びランプを一体的に設けて構成されている。ここで貨幣鑑別機は、投入された紙幣や貨幣を磁気・光方式で特定する各種センサの他、ＣＰＵ，ＲＡＭ，ＲＯＭ等を含むマイクロコンピュータを備えている。鑑別呼出装置５０から排出された紙幣や硬貨を搬送する貨幣搬送装置７０は、島長手方向に延びるように張設したコンベヤベルトを具備して成る。
【００２８】
次に第１の実施の形態における作用を説明する。
遊技機島１０を構築する際には、先ず図６に示すようにフロア上に貯留タンク２０を設置する。そして図３に示すように、貯留タンク２０の側壁２１にある被係合部２２，２２…に、天板３０より一体的に垂下した支持体３１，３１…の係合部３２，３２…を上から嵌め込むように嵌合させる。
【００２９】
図１及び図２に示すように、貯留タンク２０の係合部２２，２２…に、支持体３１，３１…の係合部３２，３２…を上下方向に亘って完全に嵌合させると、天板３０の下側は貯留タンク２０の開口上端縁に丁度密着し、外からごみや塵が入ることがなく、天板３０は略水平な安定した状態に固定される。また、各支持体３１の下端は貯留タンク２０を設置するフロア面に当接するので、島下段１０Ａをより安定した状態でフロア面上に自立させることができる。
【００３０】
更に支持体３１には、必要に応じて図２に示すように、貯留タンク２０の側壁２１を覆う腰板３３を一体的に取付ければ、島下段１０Ａの外観をよくすることができる。本実施形態の如く腰板３３に内部を覗ける点検用窓３４が開設すると、容易に島下段１０Ａ内部の貯留タンク２０等を点検したり、メンテナンスを行うことが可能となる。
【００３１】
以上のようにして、島全体の土台をなす島下段１０Ａはほぼ構築され、貯留タンク２０自体や天板３０と一体の支持体３１，３１…が島下段１０Ａのフレームとなる。それにより、島下段１０Ａを構成するための資材点数は従来技術に比して削減され、また組み付け工数も削減されて、島の施工現場における島下段１０Ａの組立ては極めて簡易かつ容易となり、施工時間を大幅に短縮することができ、コストを低減することが可能となる。
【００３２】
島中段１０Ｂの構築に際しては、島下段１０Ａ側の下方レール部材１２と島上段１０Ｃ側の上方レール部材１３との間に、各パチンコ機１１や球貸機１９を島長手方向に移動させつつ列をなすよう設置すればよい。それにより、島組立て時に各パチンコ機１１の取付スペースの厳密な位置設定が不要となり、単に各パチンコ機１１や球貸機１９を島端から順次並ぶように詰めれば適所に配置でき、島の組立て作業を能率的かつ迅速に行なうことができる。
【００３３】
また、パチンコ機１１の設置中において、パチンコ機１１を島長手方向に適宜移動させて取付位置の誤差を解消することもできる。更に組立て後に、パチンコ機１１を新しい機種と交換するような場合には、かかる交換作業はパチンコ機１１を１台ずつ移動させて島端から外し、新たに導入するパチンコ機１１を、その横幅を気にすることなく端から順に詰まるように配置すればよく、従来煩雑であった遊技機の交換作業も非常に簡単に行なうことができる。
【００３４】
図８は本発明の第２の実施の形態を示している。
本実施形態では、フロア面上に島下段１０Ａの底部２５に合致する弾性シート２７を敷設している。かかる弾性シート２７は、例えば硬質ゴム等の材質により島下段１０Ａの底部の形状に合致する矩形状に成形されたものである。
【００３５】
このような弾性シート２７を敷設したことにより、該弾性シート２７上に当接する各支持体３１の長さに多少の誤差があっても、弾性シート２７の弾性変形により適宜誤差を吸収することができる。更に島構築前に、フロアＦの所定箇所に弾性シート２７を敷設することで島の位置決めを極めて容易に行なうことができる。
【００３６】
図９は本発明の第３の実施の形態を示している。
本実施形態は、天板３０から垂下する各支持体３１Ａの長さを貯留タンク２０の底部２５に合うように設定したものである。弾性シート２７は設けても設けなくてもよい。
【００３７】
本実施形態によれば、各支持体３１Ａを短く設定した分だけ資材を削減でき、コストを低減することができる。
【００３８】
なお、本発明に係る遊技機島は図示した実施の形態に限定されるものではない。例えば、遊技機はパチンコ機に限定されるものではなく、遊技媒体にメダルを用いるスロットマシン等でもかまわない。
【００３９】
【発明の効果】
本発明に係る遊技機島によれば、貯留タンクの側壁にある被係合部に、天板より一体的に垂下した支持体の係合部を上から嵌め込むように嵌合させれば、島下段はほぼ構築されるので、かかる島下段を構成するための資材点数は従来技術に比して削減され、また組み付け工数も大幅削減されて、施工現場における島の組立ては極めて簡易かつ容易となり、施工時間を大幅に短縮することができ、コストを低減することが可能となる。
【図面の簡単な説明】
【図１】本発明の第１実施形態に係る遊技機島を概略的に示す横断面図である。
【図２】本発明の第１実施形態に係る遊技機島を示す正面図である。
【図３】本発明の第１実施形態に係る遊技機島における島下段の組立工程を説明するための正面図である。
【図４】本発明の第１実施形態に係る遊技機島における貯留タンク側の被係合部と支持体側の係合部との嵌合状態を拡大して示す断面図である。
【図５】貯留タンク側の被係合部と支持体側の係合部との変形例を拡大して示す断面図である。
【図６】本発明の第１実施形態に係る遊技機島を構成する貯留タンクを示す平面図である。
【図７】本発明の第１実施形態に係る遊技機島の島下段を示す平面図である。
【図８】本発明の第２実施形態に係る遊技機島の要部を成す貯留タンクと支持体、それに弾性シートを示す正面図である。
【図９】本発明の第３実施形態に係る遊技機島の要部を成す貯留タンクと支持体を示す正面図である。
【符号の説明】
１０…遊技機島
１０Ａ…島下段
１０Ｂ…島中段
１０Ａ…島上段
１１…パチンコ機（遊技機）
２０…貯留タンク
２２…被係合部
３１…支持体
３２…係合部
【図１】
0003768272.tif 000002
【図２】
0003768272.tif 000003
【図３】
0003768272.tif 000004
【図４】
0003768272.tif 000005
【図５】
0003768272.tif 000006
【図６】
0003768272.tif 000007
【図７】
0003768272.tif 000008
【図８】
0003768272.tif 000009
【図９】
0003768272.tif 000010